(57)【要約】【目的】歌唱音をカラオケ演奏音と共に録音する場合にラベルの印刷を可能にする。【構成】曲選択手段と、録音指定手段と、再生手段と、制御手段とを備えるカラオケ装置であって、第一記録媒体には、複数の曲の演奏音が少なくとも記録されており、曲選択手段は、曲の選曲番号を指定し、録音指定手段は、曲の録音を指定し、再生手段は、選択された曲の演奏音を第一記録媒体から再生し、制御手段は、曲の選曲番号とその曲を録音するか否かを示す録音フラグを対応させた選曲リストテーブルを作成し、選曲リストテーブルに基づいて指定された選曲番号の演奏音を再生手段に再生させ、録音手段に録音させると共に、ラベル作成手段に印刷させる。【効果】歌唱音をカラオケ演奏音と共に録音する場合に記録媒体のラベルを印刷することができるようになる。【選択図】　図６
2004078199.tif 000002
【特許請求の範囲】
【請求項１】
曲選択手段と、録音指定手段と、再生手段と、制御手段とを備えるカラオケ装置であって、
第一記録媒体には、複数の曲の演奏音が少なくとも記録されており、
前記曲選択手段は、曲の選曲番号を指定し、
前記録音指定手段は、曲の録音を指定し、
前記再生手段は、選択された曲の演奏音を前記第一記録媒体から再生し、
前記制御手段は、曲の選曲番号とその曲を録音するか否かを示す録音フラグを対応させた選曲リストテーブルを作成し、前記選曲リストテーブルに基づいて指定された選曲番号の演奏音を前記再生手段に再生させ、録音手段に録音させると共に、ラベル作成手段に印刷させることを特徴とするカラオケ装置。
【請求項２】
前記録音手段は、演奏音及び歌唱音を第二記録媒体に録音することを特徴とする請求項１記載のカラオケ装置。
【請求項３】
前記ラベル作成手段は、前記第二記録媒体のラベル面に直接印刷することを特徴とする請求項２記載のカラオケ装置。
【請求項４】
更に記録手段を備え、
前記制御手段は、作成された前記選曲リストテーブルを前記記録手段に書き込むことを特徴とする請求項１乃至３のいずれか１に記載のカラオケ装置。
【請求項５】
更に記録手段を備え、
前記記録手段には、録音曲情報が記録されており、
前記制御手段は、前記録音曲情報を前記ラベル作成手段に出力することを特徴とする請求項１乃至３のいずれか１に記載のカラオケ装置。
【請求項６】
前記録音曲情報は、少なくとも曲名、録音日時、録音場所のいずれか１を含むことを特徴とする請求項５記載のカラオケ装置。
【請求項７】
前記第二記録媒体は、録音可能なコンパクトディスクであることを特徴とする請求項２乃至６のいずれか１に記載のカラオケ装置。
【請求項８】
第１、第２、及び第３の処理を行うと共に、第一記録媒体に記録された曲の演奏音の再生を行うカラオケシステムであって、
前記第１の処理は、曲の選曲番号の指定を受け付け、
前記第２の処理は、選択された曲の録音の指定を受け付け、
前記第３の処理は、曲の選曲番号とその曲を録音するか否かを示す録音フラグを対応させた選曲リストテーブルを作成し、前記選曲リストテーブルに基づいて指定された選曲番号の演奏音を再生し、録音手段に録音させると共に、ラベル作成手段に印刷させることを特徴とするカラオケシステム。
【請求項９】
前記録音手段は、演奏音及び歌唱音を第二記録媒体に録音することを特徴とする請求項８記載のカラオケシステム。
【請求項１０】
前記ラベル作成手段は、前記第二記録媒体のラベル面に直接印刷することを特徴とする請求項９記載のカラオケシステム。
【請求項１１】
更に記録手段を備え、
作成された前記選曲リストテーブルを前記記録手段に書き込むことを特徴とする請求項８乃至１０のいずれか１に記載のカラオケシステム。
【請求項１２】
更に記録手段を備え、
前記記録手段には、録音曲情報が記録されており、
前記第３の処理にて、前記録音曲情報を前記ラベル作成手段に出力することを特徴とする請求項８乃至１０のいずれか１に記載のカラオケシステム。
【請求項１３】
前記録音曲情報は、少なくとも曲名、録音日時、録音場所のいずれか１を含むことを特徴とする請求項１２記載のカラオケシステム。
【請求項１４】
前記第二記録媒体は、録音可能なコンパクトディスクであることを特徴とする請求項９乃至１３のいずれか１に記載のカラオケシステム。
【発明の詳細な説明】
【０００１】
【産業上の利用分野】
本発明は、複数の曲のカラオケ演奏音が記録された記録媒体を備え、その複数の曲のうちの選択された曲の演奏音を再生するカラオケ再生装置及びカラオケシステムに関する。
【０００２】
【従来の技術】
カラオケ再生装置においては、歌唱音をカラオケ演奏音と共に録音することができるように録音装置或いは録音出力端子を有するものがある。その録音はコンパクトディスク等の記録媒体に行なわれ、その記録媒体を後で演奏することにより歌唱者は自らの歌唱音を聴取することができるのである。
【０００３】
このように録音された記録媒体には曲名等の録音曲情報を記したラベルを貼付して、後で何が録音されたか記録媒体を実際に演奏しなくても分かるようにすることが望ましい。
【０００４】
【発明が解決しようとする課題】
しかしながら、自らラベルに録音曲情報を記入することは手間が掛かり、また曲名だけのように情報不足になるという問題点があった。
【０００５】
そこで、本発明の目的は、歌唱音をカラオケ演奏音と共に録音する場合に記録媒体のラベルを印刷することができるカラオケ再生装置／カラオケシステムを提供することである。
【０００６】
【課題を解決するための手段】
上記課題を解決するため、請求項１に記載の発明は、曲選択手段と、録音指定手段と、再生手段と、制御手段とを備えるカラオケ装置であって、第一記録媒体には、複数の曲の演奏音が少なくとも記録されており、前記曲選択手段は、曲の選曲番号を指定し、前記録音指定手段は、曲の録音を指定し、前記再生手段は、選択された曲の演奏音を前記第一記録媒体から再生し、前記制御手段は、曲の選曲番号とその曲を録音するか否かを示す録音フラグを対応させた選曲リストテーブルを作成し、前記選曲リストテーブルに基づいて指定された選曲番号の演奏音を前記再生手段に再生させ、録音手段に録音させると共に、ラベル作成手段に印刷させることを特徴とする。
また、請求項８に記載の発明は、第１、第２、及び第３の処理を行うと共に、第一記録媒体に記録された曲の演奏音の再生を行うカラオケシステムであって、前記第１の処理は、曲の選曲番号の指定を受け付け、前記第２の処理は、選択された曲の録音の指定を受け付け、前記第３の処理は、曲の選曲番号とその曲を録音するか否かを示す録音フラグを対応させた選曲リストテーブルを作成し、前記選曲リストテーブルに基づいて指定された選曲番号の演奏音を再生し、録音手段に録音させると共に、ラベル作成手段に印刷させることを特徴とする。
【０００７】
【実施例】
以下、本発明の実施例を図面を参照しつつ詳細に説明する。
【０００８】
図１に示したカラオケ再生装置においては、オートチェンジャー１にはディスク収納部２、ディスク搬送部３及びプレーヤ部４が設けられている。ディスク収納部２には複数のディスク５が収納され、ディスク演奏の際にはその複数のディスク５のうちの１つのディスクが搬送部３によってプレーヤ部４のターンテーブル（図示せず）上に搬送され、演奏が終了するとターンテーブル上のディスクが搬送部３によってディスク収納部２の所定の位置まで戻される。プレーヤ部４はターンテーブル上のディスクを演奏して読取データを出力する。ディスク搬送部３及びプレーヤ部４は後述するシステムコントローラ７からの指令に応じて動作する。
【０００９】
プレーヤ部４のデータ出力にはデータ分離回路６が接続されている。データ分離回路６はプレーヤ部４から出力されたデータを圧縮画像データ、圧縮音声データ、制御データ、情報データ等の各種データに分離して個別の出力端から出力する。データ分離回路６には上記したシステムコントローラ７の他にオーディオデコーダ８及びビデオデコーダ９が接続されている。また、データ分離回路６には外部装置１０を接続するための端子が設けられている。外部装置１０は照明、映像、テロップ等のカラオケ演出用のコントローラである。
【００１０】
オーディオデコーダ８は分離された圧縮音声データをデコードしてＰＣＭディジタルデータ等の非圧縮の音声データとして復元する。圧縮音声データには複数チャンネルの音声データが圧縮されているので、システムコントローラ７からの信号に応じて指定されたチャンネルの音声データが復元される。オーディオデコーダ８から出力された音声データはＤ／Ａ変換器１１に供給されてアナログ音声信号に変換され、そのアナログ音声信号はアンプ１８を介してスピーカ１９に供給されるようになっている。
【００１１】
ビデオデコーダ９は分離された圧縮画像データをデコードして非圧縮の画像データとして復元する。ビデオデコーダ９から出力された画像データはＤ／Ａ変換器１２に供給されてアナログ動画映像信号に変換されるようになっている。この動画映像信号はこのままスルー出力となる他、画像合成器２１に供給される。
【００１２】
システムコントローラ７はマイクロコンピュータからなり、分離された情報データを受け入れる。情報データはＲＡＭ（ランダムアクセスメモリ）１３に記憶され、またＲＡＭ１３から選択的に読み出される。読み出された情報データはシステムコントローラ７内で処理されたり、表示文字制御回路２０に供給される。表示文字制御回路２０はキャラクタジェネレータ及びＶ−ＲＡＭを有し、情報データに応じた表示文字データを生成しそれをＶ−ＲＡＭに書き込み、上記の動画映像信号の同期信号に同期してＶ−ＲＡＭから表示文字データを読み出しそれを文字映像信号に変換して画像合成器２１に出力する。その文字映像信号は画像合成器２１においてＤ／Ａ変換器１２からの動画映像信号に合成される。
【００１３】
システムコントローラ７には操作部１５、録音装置１６及びプリンタ１７が接続されている。操作部１５は演奏曲を指定するためのキーボードを有する他、リモコン送信器２３からの演奏曲指定を受け入れる受信部（図示せず）を有している。録音装置１６はカラオケの演奏音及び歌唱音をＣＤ−Ｒ等の録音可能なコンパクトディスク（図示せず）に録音するためのものである。演奏音及び歌唱音を示す音声信号はアンプ１８から録音装置１６に供給される。プリンタ１７はコンパクトディスクに貼付するようにされたラベルに曲名等の録音曲情報を印刷するためのものである。
【００１４】
次に、プレーヤ部４で演奏されるディスク５の記録内容について説明する。ディスク５には全ての情報が例えば、ＭＰＥＧ（Ｍｏｖｉｎｇ　Ｐｉｃｔｕｒｅ　Ｅｘｐｅｒｔ　Ｇｒｏｕｐ　）規格のディジタル信号で記録されており、図２に示すように、ディスク５各々の情報記録エリアは非リアルタイムファイルエリアとリアルタイムファイルエリアを有している。非リアルタイムファイルエリアにＴＯＣ等のアクセス情報ファイルと曲名等のカラオケ情報ファイルとが記録されている。リアルタイムファイルエリアにはＮ（Ｎは整数で曲数に相当する）個のリアルタイムファイルが記録されている。リアルタイムファイル各々はチャプターという単位で呼ばれ、１チャプターが１曲に相当する。１チャプターのリアルタイムファイルは１つの曲の圧縮画像データ及び圧縮音声データと、画像、音声以外のリアルタイムデータとからなり、これらのデータがファイル内で時分割多重記録されている。
【００１５】
アクセス情報ファイルは、各チャプターのディスク内における位置や時間的長さを示す情報等からなり、この情報を参照することにより任意のチャプターにアクセス可能となる。カラオケ情報ファイルはディスク及び曲に関する種々の情報からなり、その構造を図３に示す。カラオケ情報ファイルはディスク関連情報と１つ以上のチャプター情報とからなる。１つのチャプター情報は１つのチャプターすなわち曲の関連情報を表し、チャプター情報数は曲数と一致する。ディスク関連情報はそのディスク全体に関する情報であり、例えば、ディスク内容、ディスク自身の識別、そのディスクに記録された曲数等の情報である。
【００１６】
各チャプター情報はチャプター情報ヘッダ、チャプター内共通情報、テロップチャンネル別情報、言語別情報を含み、チャプター情報ヘッダはチャプター情報の識別情報や内容を示す情報等からなる。チャプター内共通情報は（１）曲の国籍、（２）曲の発表年月日、（３）曲の長さ、（４）著作権コード、（５）歌手分類、（６）曲のジャンル、（７）曲の主題イメージと曲テーマ、（８）曲のシチュエーション、（９）曲の特殊ジャンル、（１０）曲のテンポ、（１１）曲の場所イメージ、（１２）曲の難易度、（１３）マルチオーディオモード、（１４）背景映像、（１５）コントロール機器情報及び（１６）ＤＳＰモード等からなる。
【００１７】
テロップチャンネル別情報は、そのチャプターに対応した文字情報（テロップ）に関する情報である。１つのチャプターに複数の文字情報系列（テロップチャンネル）を割り当てることが可能であり、例えば、１つのチャプターに選択可能な複数の異なる言語のテロップを付加することができる。テロップチャンネル別情報は（１）テロップチャンネル数、（２）テロップチャンネル番号、（３）テロップ言語及び（４）テロップの文字形態の各情報を含み、テロップチャンネル番号、テロップ言語及びテロップの文字形態の各情報がテロップチャンネル数だけ繰り返し記録される。
【００１８】
言語別情報は、そのチャプターに関する情報のうち言語に依存する情報であり、（１）言語別情報数、（２）言語コード、（３）記述コード体系、（４）言語別情報サイズ、（５）曲名、（６）曲名の読み、（７）歌手名、（８）歌手名の読み、（９）作詞者名、（１０）作詞者名の読み、（１１）作曲者名、（１２）作曲者名の読み、（１３）最初のフレーズ、（１４）最初のフレーズの読み及び（１５）ロケ地データ等の情報からなる。（２）言語コードから（１５）ロケ地データまでの情報が言語別情報数だけ繰り返し記録される。
【００１９】
次に、上記したカラオケ再生装置の動作について説明する。
【００２０】
オートチェンジャー１のディスク収納部２にディスクが新たに収納される場合には先ず、インストール動作が行なわれる。このインストール動作において、システムコントローラ７は、図４に示すように新たなディスクがディスク収納部２に収納され、それを検出すると（ステップＳ１）、そのディスクをプレーヤ部４のターンテーブルに装着させるべくディスク搬送部３に対しディスクセット指令を発生する（ステップＳ２）。ディスク搬送部３がディスクをプレーヤ部４のターンテーブルに装着させ終わると、それがシステムコントローラ７に装着終了信号として供給される。よって、システムコントローラ７は装着終了信号を得ると（ステップＳ３）、プレーヤ部４に対してディスクの回転駆動を指令し（ステップＳ４）、データの読み取りを指令する（ステップＳ５）。プレーヤ部４はターンテーブルと共にディスクを回転させ、その回転が所定の回転速度に達した後、ディスクの非リアルタイムファイルエリアからデータを読み取って出力する。
【００２１】
読み取られたデータはデータ分離回路６を介してシステムコントローラ７に供給され、システムコントローラ７内のバッファメモリ（図示せず）に一旦格納される。システムコントローラ７は供給されたデータを外部のＲＡＭ１３に順次書き込み（ステップＳ６）、プレーヤ部４によるデータの読み取りが終了したか否かを判別する（ステップＳ７）。例えば、データ供給終了を示すビットが供給されてデータの読み取りが終了したことが分かるまではステップＳ６の実行により供給されたデータをＲＡＭ１３に書き込むことが行なわれる。データの読み取りが終了したならば、プレーヤ部４に対し動作停止指令を発生し（ステップＳ８）、ディスク搬送部３に対しディスクリターン指令を発生する（ステップＳ９）。よって、プレーヤ部４はターンテーブルの回転駆動を停止させ、その後、ディスク搬送部３はターンテーブル上のディスクをディスク収納部２のそのディスクの定められた収納位置まで搬送して収納する。システムコントローラ７はステップＳ９の実行後、他に新たなディスクの収納があったか否かを判別する（ステップＳ１０）。ディスク収納部２に他の新たなディスクの収納があるならば、ステップＳ２に移行し、他に新たなディスクの収納がないならば、インストール動作を終了する。
【００２２】
ＲＡＭ１３に書き込むデータとしては上記したアクセス情報ファイルとカラオケ情報ファイルの各データ全てでも良いが、少なくともディスク固有のディスク番号、そのディスクのディスク収納部２の収納位置を示すアドレス、曲名、歌手名、作詞者名、作曲者名、曲の長さ、著作権コード、曲のジャンル、曲のテンポ、曲の難易度、マルチオーディオモード等の曲データだけでも良い。
【００２３】
なお、新たなディスクの収納はユーザによる操作部１５からの入力により得ることができる。また、ディスク収納部２の各収納位置にディスクの有無を検出するセンサを設け、その検出結果を記憶する領域をＲＡＭ１３に備えておき、インストール動作毎に全てのセンサの検出出力とＲＡＭ１３の記憶内容とを比較し、新たなディスクの収納を判別すると共にＲＡＭ１３にその検出結果を書き込むようにしても良い。
【００２４】
更に、上記の実施例においては、曲名等の曲データを画像データ及び音声データと共に記録されたディスクのインストール時に得ているが、曲名等の曲データだけが記録された専用のディスクからディスクのインストール時に曲データを得ても良い。或いは、画像データ及び音声データが記録された複数のディスクの曲データをこれら複数のディスクのうちの１枚に記録するようにして、この１枚のディスクのインストール時にこれらの曲データを得るようにしても良い。
【００２５】
上記のようにインストール動作が行われた後においてはユーザが選択した曲についてのカラオケ再生が可能となる。先ず、選曲動作においては、ユーザが選曲番号を操作部１５又はリモコン送信器２３の数字キー又はアルファベットキーの操作により入力することになる。選曲番号は複数桁からなり、ディスクとそのディスク中に記録された曲を指定する番号であり、キー操作されると操作部１５内のバッファ（図示せず）に保持される。図５に示すようにシステムコントローラ７は所定タイミングで又は割り込み動作で操作部１５の選曲キー（図示せず）が操作されたか否かを判別し（ステップＳ１１）、選曲キーが操作されたならば、上記のバッファから選曲番号を読み込みＲＡＭ１３の選曲リストテーブルに書き込む（ステップＳ１２）。選曲リストテーブルはＲＡＭ１３に形成され図６に示すように演奏順に選曲番号及び後述の録音フラグが書き込まれ、演奏が終了すると順番が繰り上がるようになっている。その読み込んだ選曲番号に対応する曲名をＲＡＭ１３から情報データとして読み出し（ステップＳ１３）、その読み出しデータを表示文字制御回路２０に供給する（ステップＳ１４）。表示文字制御回路２０においては曲名を示す表示文字データが生成されてＶ−ＲＡＭの所定の位置に書き込まれる。Ｖ−ＲＡＭから表示文字データが読み出されて文字映像信号に変換された後、画像合成器２１に出力される。その文字映像信号は画像合成器２１において所定の色を示す信号のときＤ／Ａ変換器１２からの動画映像信号に代わって出力されることにより動画映像信号に合成される。よって、ディスプレイ２２には曲名が文字映像として表示されてキー操作された選曲の受付が行われたことが確認されるのである。
【００２６】
システムコントローラ７はステップＳ１４の実行後、読み込んだ選曲番号に対応する著作権コードをＲＡＭ１３から読み出す（ステップＳ１５）。ＲＡＭ１３にはインストール動作時にディスクから読み取って書き込まれたデータ中に著作権コードがあるので、それを読み出すのである。著作権コードは曲の著作権者を示すコードである。選択曲が読み出した著作権コードに基づいて録音可能な曲であるか否かを判別する（ステップＳ１６）。システムコントローラ７の外部に設けられたＲＯＭ（リードオンリメモリ）１４には図７に示すように著作権コード、著作権者及び録音可否が録音可否データテーブルとして予め書き込まれている。録音可否については“１”が録音可能で、“０”が録音不可である。よって、録音可否データテーブルから選択曲が録音可能な曲であるか否かが判別される。録音可能ならば録音可能表示をし（ステップＳ１７）、録音不可ならば録音不可表示をする（ステップＳ１８）。これら表示はディスプレイ２２にしても良いし、装置に設けられた録音可否のための表示器（図示せず）にしても良い。ディスプレイ２２に表示する場合にはシステムコントローラ７からの指令に応じて表示文字制御回路２０においては録音可能又は録音不可を示す表示文字データが生成されてＶ−ＲＡＭに書き込まれる。
【００２７】
システムコントローラ７は録音可能のためステップＳ１７を実行した後においては、録音予約があるか否かを判別する（ステップＳ１９）。これは操作部１５又はリモコン送信器２３の録音予約キーの操作があったか否かによって判別される。録音予約があった場合には上記の選曲リストテーブルの録音フラグをセットする（ステップＳ２０）。選曲リストテーブルには非録音を示す“０”が録音フラグの初期値として予め書き込まれているので、録音予約キーの操作があった場合には選曲番号に対応させて録音フラグを録音を示す“１”にするのである。
【００２８】
次に、ディスク演奏動作について説明する。システムコントローラ７は図８に示すように、先ず操作部１５のキー操作により演奏の開始が指令されると（ステップＳ２１）、ＲＡＭ１３に形成された選曲リストテーブルの演奏順の１番目から選曲番号及び録音フラグを読み出す（ステップＳ２２）。読み出した選曲番号に対応するディスクアドレス及び曲番をＲＡＭ１３から読み出し（ステップＳ２３）、読み出したディスクアドレスのディスクをプレーヤ部４のターンテーブルに装着させるべくディスク搬送部３に対しディスクセット指令を発生する（ステップＳ２４）。ディスク搬送部３がディスクをプレーヤ部４のターンテーブルに装着させ終わると、それがシステムコントローラ７に装着終了信号として供給される。よって、システムコントローラ７は装着終了信号を得ると（ステップＳ２５）、プレーヤ部４に対してディスクの回転駆動を指令し（ステップＳ２６）、ディスク演奏を開始して良いか否かを判別する（ステップＳ２７）。例えば、操作部１５のキー操作により演奏が禁止されている場合にはディスク演奏は開始されない。ディスク演奏を開始して良い場合には、読み出した曲番のトラックからのディスク演奏を指令する（ステップＳ２８）。よって、プレーヤ部４が選曲番号で指定された曲の演奏を開始し、再生された映像信号及び音声信号がディスプレイ２２及びスピーカ１９に出力される。
【００２９】
また、録音予約されているか否かを読み出した録音フラグから判別する（ステップＳ２９）。録音フラグが“１”にセットされている場合には録音開始指令を録音装置１６に対し発生する（ステップＳ３０）。録音装置１６にはアンプ１８から歌唱音を含む音声信号が供給されるので、録音開始指令に応じてコンパクトディスクへの録音が行なわれる。
【００３０】
システムコントローラ７はステップＳ３０の実行後、ステップＳ２２で読み出した選曲番号に対応する録音曲情報をＲＡＭ１３から読み出す（ステップＳ３１）。録音曲情報とは少なくとも曲名、作詞者名及び作曲者名であり、歌唱者、録音日時及び場所等の情報を加えても良い。これらの録音曲情報を読み出した後、プリンタ１７に出力する（ステップＳ３２）。プリンタ１７はコンパクトディスクに貼付するようにされたラベルに録音曲情報を印刷する。これにより、録音されたコンパクトディスクのラベル面にそのラベルを貼付して置けば、録音された曲についての記録となる。なお、録音曲情報をラベルでなく、コンパクトディスクのラベル面に直接印刷しても良いことは勿論である。
【００３１】
システムコントローラ７はステップＳ３２の実行後、選択曲の演奏が終了したか否かを判別する（ステップＳ３３）。これはディスク演奏によってデータ分離回路６から供給される制御データ中のタイム情報から判別される。選択曲の演奏が終了したならば、プレーヤ部４に対し演奏停止指令を発生し（ステップＳ３４）、ディスク搬送部３に対しディスクリターン指令を発生する（ステップＳ３５）。よって、プレーヤ部４はディスク演奏動作を停止し、ディスク搬送部３はターンテーブルの回転が停止した後、ターンテーブル上のディスクをディスク収納部２のそのディスクの定められた収納位置まで搬送して収納する。システムコントローラ７はディスクリターン指令の発生後、選曲リストテーブルの曲順を１曲分繰り上げ（ステップＳ３６）、選曲リストテーブルの１番目に選曲番号が記録されているか否かを判別する（ステップＳ３７）。選曲番号が記録されているならば、ステップＳ２２に戻り上記動作を繰り返す。一方、選曲番号が記録されていないならば、演奏動作を終了する。
【００３２】
図９はインストール動作の他の手順を示している。このインストール動作においては、ディスクに著作権コードの他に著作権者及び録音可否並びにその録音可否情報登録日の各情報が記録されたものに対する場合にであって、図７に示した録音可否データテーブルがＲＯＭ１４でなくＲＡＭ１３に形成される。すなわち、図９に示したようにステップＳ１〜Ｓ７は図４に示したインストール動作と同様であり、読み取られたデータはシステムコントローラ７を介してＲＡＭ１３に書き込まれる。この書き込み動作では録音可否データテーブルには著作権者及び録音可否データは書き込まれず、単にディスク又は曲毎のデータとして書き込まれる。データの読み取りが終了したならば、ディスクから読み取られた録音可否情報登録日が最新であるか否かを判別する（ステップＳ４１）。ＲＡＭ１３に記憶された最新登録日よりも新しい録音可否情報登録日ではないならば、ステップＳ８に進んでプレーヤ部４の動作を停止させる。一方、最新登録日よりも新しい録音可否情報登録日ならば、読み取った著作権者及び録音可否の各情報により録音可否データテーブルを更新し（ステップＳ４２）、更に最新登録日を読み取られた録音可否情報登録日により更新する（ステップＳ４３）。このステップＳ４３の実行後、ステップＳ８に進む。ステップＳ８〜Ｓ１０は図４に示したインストール動作と同様である。
【００３３】
なお、カラオケ再生装置の保守点検等のサービスマンが操作部１５の特別なキー操作により録音可否データテーブルの著作権者及び録音可否データが変更可能にしても良い。
【００３４】
また、複数の曲のカラオケ演奏音が少なくとも記録された記録媒体はディスクに限らず、テープ等の他の記録媒体でも良いことは明らかである。
【００３５】
【発明の効果】
以上の如く、本発明においては、選択された曲について選曲リストテーブルを作成し、この選曲リストテーブルに基づいて演奏音の再生及び録音を制御し、ラベルの印刷が行われる。よって、歌唱音をカラオケ演奏音と共に録音する場合に記録媒体のラベルを印刷することができるようになる。
【図面の簡単な説明】
【図１】本発明の実施例を示すブロック図である。
【図２】ディスクの情報エリアの構成を示す図である。
【図３】カラオケ情報ファイルの構成を示す図である。
【図４】インストール動作を示すフロー図である。
【図５】選曲動作を示すフロー図である。
【図６】選曲リストテーブルを示す図である。
【図７】録音可否データテーブルを示す図である。
【図８】ディスク演奏動作を示すフロー図である。
【図９】他のインストール動作例を示すフロー図である。
【主要部分の符号の説明】
１　オートチェンジャー
２　ディスク収納部
３　ディスク搬送部
４　プレーヤ部
５　ディスク
７　システムコントローラ
１６　録音装置
１７　プリンタ
２２　ディスプレイ
２３　リモコン送信器
【図１】
2004078199.tif 000003
【図２】
2004078199.tif 000004
【図３】
2004078199.tif 000005
【図４】
2004078199.tif 000006
【図５】
2004078199.tif 000007
【図６】
2004078199.tif 000008
【図７】
2004078199.tif 000009
【図８】
2004078199.tif 000010
【図９】
2004078199.tif 000011